(57)【要約】【課題】    建物内の限られたスペースを有効活用出来、開放感を得られる建物の空間構造を提供する。【解決手段】  建物ユニットを複数組み合わせてなる住宅としてのユニット建物１の内部には、下階床部２と、上階床部３とを連結する折り返し階段４が設けられている。  また、この折り返し階段４の中間部には、踊り場５が形成されている。  そして、この踊り場５の階段昇降方向と平面視で平行する辺５ａには、この踊り場５と略同一高さとして、この踊り場５と連設される中間床部６が設けられている。  この中間床部６の下方には、下階床部２の床面２ａよりも低い位置に床面７ａを有する中間床下空間７が設けられている。【選択図】図１
2006283356.tif 000002
【特許請求の範囲】
【請求項１】
下階床部と、上階床部とを連結すると共に、中間部に踊り場が形成された折り返し階段を有し、該踊り場の階段昇降方向と平面視で平行する辺に、該踊り場と略同一高さとして、該踊り場と連設される中間床部を設け、該中間床部の下方には、下階床部の床面よりも低い位置に床面を有する中間床下空間が設けられていることを特徴とする建物の空間構造。
【請求項２】
下階床部と、上階床部とを連結すると共に、中間部に踊り場が形成された折り返し階段を有し、該踊り場と略同一高さとして、該踊り場と連設される中間床部を設け、該中間床部の下方には、下階床部の床面よりも低い位置に床面を有する中間床下空間が設けられると共に、該中間床部の一部に、中間床部よりも上方位置の空間と中間床下空間と連通する連通開口部が設けられていることを特徴とする建物の空間構造。
【請求項３】
前記連通開口部の上方位置には、更に、上階床部の一部に、上階位置の空間と連通する上階連通開口部を有することを特徴とする請求項２記載の建物の空間構造。
【請求項４】
前記連通開口部よりも上方位置の空間が、前記中間床部の上方の空間と連通されていることを特徴とする請求項２又は３記載の建物の空間構造。
【請求項５】
前記中間床下空間は、建物の外壁部に面すると共に、該外壁部に形成される出入口開口部を介して、屋外と連通されることを特徴とする各請求項１乃至４のうち何れか一項記載の建物の空間構造。
【請求項６】
前記中間床下空間は、建物の外壁部に面すると共に、該外壁部の外側に凹設される収納凹部を、該中間床下空間内に位置させることを特徴とする各請求項１乃至５のうち何れか一項記載の建物の空間構造。
【請求項７】
前記中間床下空間が、前記折り返し階段の階段下空間と連通されていることを特徴とする各請求項１乃至６のうち何れか一項記載の建物の空間構造。
【請求項８】
前記中間床部の上方の上階床部には、上階位置の空間と連通する上階連通開口部が設けられていることを特徴とする各請求項１乃至７のうち何れか一項記載の建物の空間構造。
【請求項９】
前記連通開口部の上方と、前記中間床部上方とに跨って、上階位置の空間と連通する上階連通開口部を有することを特徴とする各請求項１乃至８のうち何れか一項記載の建物の空間構造。
【請求項１０】
前記中間床下空間の高さと、中間床部から上階床部までの空間の高さとのうち、何れか一方のみを建築基準法上の階数として認定されない法規上の高さとすることを特徴とする各請求項２乃至９のうち何れか一項記載の建物の空間構造。
【請求項１１】
前記建物は、ユニット住宅であることを特徴とする各請求項１乃至１０のうち何れか一項記載の建物の空間構造を用いた住宅。
【発明の詳細な説明】
【技術分野】
【０００１】
この発明は、建物の内部空間を有効に利用出来る建物の空間構造に関するものである。
【背景技術】
【０００２】
従来、折り返し階段の踊り場を奥行き方向に広く設定して、スペースとして活用する建物の空間構造が、知られている（例えば、特許文献１，２等参照）。
【０００３】
更に、その折り返し階段の踊り場の下方に床面が、下階床面より低い位置となるように構成された床下収納室が設けられた建物の空間構造が知られている（例えば、特許文献３等参照）。
【特許文献１】特開平１０−３１７６２７号公報
【特許文献２】特開平１１−３３６３４４号公報
【特許文献３】特開平１０−３１７６８９号公報
【発明の開示】
【発明が解決しようとする課題】
【０００４】
しかしながら、このような従来の建物の空間構造では、前記踊り場を含めた拡張したスペースの幅も、床下収納室の幅も共に、前記階段の幅である２ｍ程度を越えて設定することは、困難で、スペースの活用用途が、限定されてしまうといった問題があった。
【０００５】
また、上方に階段裏面側が存在すると共に広いスペースを設定出来無いので、閉塞感が強くなってしまうといった問題もあった。
【０００６】
そこで、この発明は、建物内の限られたスペースを有効活用出来、開放感を得られる建物の空間構造を提供することを課題としている。
【課題を解決するための手段】
【０００７】
上記目的を達成するために、請求項１に記載された発明は、下階床部と、上階床部とを連結すると共に、中間部に踊り場が形成された折り返し階段を有し、該踊り場の階段昇降方向と平面視で平行する辺に、該踊り場と略同一高さとして、該踊り場と連設される中間床部を設け、該中間床部の下方には、下階床部の床面よりも低い位置に床面を有する中間床下空間が設けられている建物の空間構造を特徴としている。
【０００８】
また、請求項２に記載されたものは、下階床部と、上階床部とを連結すると共に、中間部に踊り場が形成された折り返し階段を有し、該踊り場と略同一高さとして、該踊り場と連設される中間床部を設け、該中間床部の下方には、下階床部の床面よりも低い位置に床面を有する中間床下空間が設けられると共に、該中間床部の一部に、中間床部よりも上方位置の空間と中間床下空間と連通する連通開口部が設けられている建物の空間構造を特徴としている。
【０００９】
更に、請求項３に記載されたものは、前記連通開口部の上方位置には、更に、上階床部の一部に、上階位置の空間と連通する上階連通開口部を有する請求項２記載の建物の空間構造を特徴としている。
【００１０】
そして、請求項４に記載されたものは、前記連通開口部よりも上方位置の空間が、前記中間床部の上方の空間と連通されている請求項２又は３記載の建物の空間構造を特徴としている。
【００１１】
また、請求項５に記載されたものは、前記中間床下空間は、建物の外壁部に面すると共に、該外壁部に形成される出入口開口部を介して、屋外と連通される各請求項１乃至４のうち何れか一項記載の建物の空間構造を特徴としている。
【００１２】
更に、請求項６に記載されたものは、前記中間床下空間は、建物の外壁部に面すると共に、該外壁部の外側に凹設される収納凹部を、該中間床下空間内に位置させる各請求項１乃至５のうち何れか一項記載の建物の空間構造を特徴としている。
【００１３】
そして、請求項７に記載されたものは、前記中間床下空間が、前記折り返し階段の階段下空間と連通されている各請求項１乃至６のうち何れか一項記載の建物の空間構造を特徴としている。
【００１４】
また、請求項８に記載されたものは、前記中間床部の上方の上階床部には、上階位置の空間と連通する上階連通開口部が設けられている請求項１乃至７のうち何れか一項記載の建物の空間構造を特徴としている。
【００１５】
そして、請求項９に記載されたものは、前記連通開口部の上方と、前記中間床部上方とに跨って、上階位置の空間と連通する上階連通開口部を有する各請求項２乃至８のうち何れか一項記載の建物の空間構造を特徴としている。
【００１６】
更に、請求項１０に記載されたものは、前記中間床下空間の高さと、中間床部から上階床部までの空間の高さとのうち、何れか一方を建築基準法上の階数として認定されない法規上の高さとする各請求項１乃至９のうち何れか一項記載の建物の空間構造を特徴としている。
【００１７】
また、請求項１１に記載されたものは、前記建物は、ユニット住宅である各請求項１乃至１０のうち何れか一項記載の建物の空間構造を用いた住宅を特徴としている。
【発明の効果】
【００１８】
このように構成された請求項１記載のものは、前記建物内の空間広さに応じて、前記中間床部の面積及び形状を自由に設定することができる。
【００１９】
このため、該中間床部の上方の空間や、或いは前記中間床下空間を有効に活用出来る。
【００２０】
そして、階段下空間に限定されないので、一定以上の広さに設定することにより、該中間床下空間に開放感を与えることができる。
【００２１】
また、請求項２に記載されたものは、前記中間床下空間が、該中間床部の一部に設けられた連通開口部を介して、該中間床部よりも上方位置の空間と連通されている。
【００２２】
このため、更に、高さ方向の閉塞感が無くなり開放感を得られる。
【００２３】
更に、請求項３に記載されたものは、前記中間床下空間が、連通開口部の上方位置に設けられた上階連通開口部を介して、更に上階位置の空間と連通されている。
【００２４】
このため、更に、高さ方向の閉塞感が無くなり開放感を得られる。
【００２５】
そして、請求項４に記載されたものは、前記中間床部よりも上方位置の空間が、前記連通開口部よりも上方の空間と連通されている。
【００２６】
このため、中間床部よりも上方位置の空間の閉塞感が解消される。
【００２７】
また、請求項５に記載されたものは、前記中間床下空間が、建物の外壁部に面すると共に、該外壁部に形成される出入口開口部を介して、屋外と連通されている。
【００２８】
このため、例えば、玄関等の通常の出入口を設置することが出来ると共に、該出入口開口部を用いて、建物内に屋外から重量物等の搬入等を行うこともできる。
【００２９】
更に、請求項６に記載されたものは、該外壁部の外側に凹設される収納凹部内に、例えば、空調機の室外機等を設置すれば、該室外機が屋外に突出しない。
【００３０】
このため、建物の外観品質を良好なものとすることができる。
【００３１】
また、該室外機が屋外に突出しないため、建物周囲の動線を容易に確保出来る。
【００３２】
そして、請求項７に記載されたものは、前記中間床下空間が、前記折り返し階段の階段下空間と連通されている。
【００３３】
このため、デッドスペースとなりがちな階段下空間を合わせて有効に利用出来る。
【００３４】
また、請求項８に記載されたものは、前記中間床部の上方の上階床部に設けられた上階連通開口部によって、前記中間床部の上方の空間が、上階位置の空間と連通される。
【００３５】
このため、前記中間床部の上方の空間を利用する際に、高さ方向へ良好な開放感を与えることができる。
【００３６】
また、請求項９に記載されたものは、上階連通開口部によって、前記連通開口部の上方の空間と、前記中間床部上方の空間とが共に、上階位置の空間と連通されている。
【００３７】
このため、前記中間床部の上方の空間を利用する際に、高さ方向及び水平方向へ良好な開放感を与えることができる。
【００３８】
更に、請求項１０に記載されたものは、前記中間床下空間の高さと、中間床部から上階床部までの空間の高さとのうち、何れか一方を建築基準法上の階数として認定されない法規上の高さ以下としている。
【００３９】
ここで、建築基準法上の階数として認定されない法規上の高さとは、１．４ｍ以下であるが、前記中間床下空間の高さと、中間床部から上階床部までの空間の高さとは、何れも空間としての使い勝手から各々約１ｍ以上とすることが望ましい。
【００４０】
このように、何れか一方を建築基準法上の階数として認定されない法規上の高さとすることにより、階数が増大することが無い。
【００４１】
このため、建築基準法上の階数や、床面積に算入されず、各種規制に対応しやすい。
【００４２】
また、請求項１１に記載されたものは、前記建物が、ユニット住宅であるので、該ユニット住宅を構成する建物ユニット内部に、予め前記踊り場及び中間床部を施工しておけば、建物ユニットを組み合わせる施工現場での施工作業を容易に行うことが出来る。
【発明を実施するための最良の形態】
【００４３】
以下、本発明の実施の形態１について、図面を参照しつつ説明する。
【００４４】
図１乃至図４は、この発明の最良の実施の形態の建物の空間構造を示すものである。
【００４５】
このうち、図１は、中間床部の手前側に設けられる壁面材が取り除かれた状態での一部透過斜視図であり、図２は、中間床部の平面図である。
【００４６】
また、図３は、中間床下空間の平面図であり、図４は、図３中Ａ−Ａ線に沿った位置での断面図である。
【００４７】
まず、構成から説明すると、この実施の形態の建物の空間構造では、建物ユニットを複数組み合わせてなる住宅としてのユニット建物１の内部には、下階床部２と、上階床部３とを連結する折り返し階段４が設けられている。
【００４８】
また、この折り返し階段４の中間部には、踊り場５が形成されている。
【００４９】
この折り返し階段４の段数は、１４段で、下階床部２から７段目の前記踊り場５までの下階段部４ａ及びこの踊り場５から上階床部３までの上階段部４ｂとによって、主に構成されている。
【００５０】
そして、この踊り場５の階段昇降方向と平面視で平行する辺５ａには、この踊り場５と略同一高さとして、この踊り場５と連設される中間床部６が設けられている。
【００５１】
なお、図１では、構成の説明を容易なものとするため、図１中、中間床部６の手前側に設けられる壁面材が取り除かれた状態が例示されている。
【００５２】
そして、この中間床部６の下方には、前記下階床部２の床面２ａよりも低い位置に床面７ａを有する中間床下空間７が設けられている。
【００５３】
この中間床下空間７の床面７ａの高さ位置は、図４に示すように、地盤面ＧＬの高さ位置と略等しい。
【００５４】
また、この床面７ａから中間床部６までの高さｈ１は、約１．８ｍ、中間床部６から上階床部３までの高さｈ２は、約１．２ｍに設定されている。
【００５５】
建築基準法上の階数として認定されない法規上の高さとは、１．４ｍ以下であるが、前記中間床下空間７の高さｈ１と、中間床部６から上階床部３までの空間の高さｈ２とは、何れも空間としての使い勝手から各々約１ｍ以上とすることが望ましい。
【００５６】
このように、何れか一方を、この実施の形態では、前記中間床部６から上階床部３までの高さｈ２が、約１．２ｍに設定されて、建築基準法上の階数として認定されない法規上の高さ１．４ｍ以下とすることにより、階数が増大することが無い。
【００５７】
このため、建築基準法上の階数や、床面積に算入されず、各種規制に対応しやすい。
【実施例１】
【００５８】
図５及び図６は、この発明の実施の形態の実施例１の建物の空間構造を示すもので、図５は、中間床下空間の平面図であり、図６は、図５中Ｂ−Ｂ線に沿った位置での断面図である。
【００５９】
なお、この実施例１の中間床下空間の平面図は、前記実施の形態の建物の空間構造と共通するので省略すると共に、同一乃至均等な部分については同一符号を付して説明する。
【００６０】
この実施例１の建物の空間構造では、前記中間床下空間１７が、住宅としてのユニット建物１１の外壁部１１ａに面すると共に、この外壁部１１ａの外側に凹設される収納凹部８が、この中間床下空間１７内に突設されて位置されている。
【００６１】
この収納凹部８内には、空調機９の室外機９ａが設置されている。
【００６２】
また、この実施例１では、下階床部２内に、前記中間床下空間１７と点検口１０ａを介して連通する床下空間１０が設けられている。この床下空間１０は、床面１０ｂを前記中間床下空間１７の床面７ａと略同一高さなるように設定されている。
【００６３】
次に、この実施例１の作用について説明する。
【００６４】
この実施例１では、前記ユニット建物１１内の空間広さに応じて、前記中間床部６の面積及び形状を自由に設定することができる。
【００６５】
この実施例１では、中間床部６が、前記中間床下空間１７の上方略全面に渡り設けられているので、この中間床部６上の収納面積を広く設定することができる。
【００６６】
このため、この中間床部６の上方の空間や、或いは前記中間床下空間１７を有効に活用出来る。
【００６７】
そして、従来のように、階段下空間に限定されないので、前記中間床下空間１７を一定以上の広さに設定することにより、この中間床下空間１７に開放感を与えることができる。
【００６８】
更に、この実施例１では、下階床部２内に形成される床下空間１０が、点検口１０ａを介して、前記中間床下空間１７と連通するように構成されている。
【００６９】
また、この床下空間１０は、床面１０ｂを前記中間床下空間１７の床面７ａと略同一高さになるように設定されている。
【００７０】
このため、高低差が無いため収納物の搬出入が、容易に行える。
【００７１】
また、床下冷暖房システムや、室内換気システムの機器を設置する位置の自由度が増大すると共に、システムメンテナンスを行う点検口１０ａを床面２ａに設ける必要が無くなる。このため、下階床部２に設置する住宅設備機器や家具の配置プランを拘束することが無く、更に、スペースを有効に使用出来る。
【００７２】
また、前記中間床下空間１７が、ユニット建物１１の外壁部１１ａに面すると共に、この外壁部１１ａの外側に凹設される収納凹部８が、建物内側に向けて突設されて、この中間床下空間１７内に位置されている。
【００７３】
この収納凹部８は、図５に示すように、ユニット建物１１を構成する建物ユニットの桁方向略全幅Ｗに延在させて形成可能である。
【００７４】
このため、この収納凹部８を必要に応じて形成し、複数台の室外機９ａ或いは、電気温
水器、空気調和機等の屋外機を設置して収納させたり、野外遊具、自動車のタイヤ等の保管場所として使用出来る。
【００７５】
従って、これらの室外機９ａ等が屋外に突出しないため、ユニット建物１１の外観品質を良好なものとすることができる。
【００７６】
また、室外機９ａ等が屋外に突出しないため、ユニット建物１１周囲の動線を容易に確保出来る。
【００７７】
更に、前記ユニット建物１１が、複数の建物ユニットを組み合わせてなるユニット住宅であるので、ユニット建物１１を構成する建物ユニット内部に、予め前記折り返し階段４の踊り場５と連設される中間床部６等を施工しておけば、建物ユニットを組み合わせる施工現場での施工作業を容易に行うことが出来る。
【００７８】
他の構成、及び作用効果については、前記実施の形態と同一乃至均等であるので、説明を省略する。
【実施例２】
【００７９】
図７乃至図１０は、この発明の実施の形態の実施例２の建物の空間構造を説明するものである。このうち、図７は、中間床部の手前側に設けられる壁面材が取り除かれた状態での一部透過斜視図であり、図８は、中間床下空間の平面図である。
【００８０】
また、図９は、中間床下空間の平面図であり、図１０は、図９中Ｃ−Ｃ線に沿った位置での断面図である。
【００８１】
なお、前記実施の形態及び実施例１と同一乃至均等な部分については同一符号を付して説明する。
【００８２】
まず、この実施例２の建物の空間構造の構成を、実施例１の建物の空間構造との相違点を中心に説明すると、この実施例２の建物の空間構造では、中間床下空間７が、前記中間床部６の外壁部１１ａ側の一部に設けられた連通開口部６ａを介して、この中間床部６よりも上方位置の空間１２と連通されている。
【００８３】
また、前記中間床下空間７が、ユニット建物２１の外壁部１１ａに面すると共に、この外壁部１１ａに形成される出入口開口部１３を介して、屋外と連通されている。
【００８４】
次に、この実施例２の建物の空間構造の作用について説明する。
【００８５】
この実施例２の建物の空間構造では、前記中間床下空間２７が、中間床部６の一部に設けられた連通開口部６ａを介して、中間床部６よりも上方位置の空間１２と連通されている。
【００８６】
このため、更に、高さ方向の閉塞感が無くなり開放感を得られる。
【００８７】
また、前記中間床下空間２７が、ユニット建物２１の外壁部１１ａに面すると共に、この外壁部１１ａに形成される出入口開口部１３を介して、屋外と連通されている。
【００８８】
そして、この中間床下空間２７の床面７ａの高さ位置は、図１０に示すように、地盤面ＧＬの高さ位置と略等しくなるように設定されている。
【００８９】
このため、例えば、玄関１４等の通常の出入口を設置することが出来ると共に、出入口開口部１３を用いて、ユニット建物２１内に屋外から重量物等の搬入等を行うことも出来ると共に、ゴミの掃き出しも容易に行える。
【００９０】
他の構成、及び作用効果については、前記実施の形態及び実施例１と同一乃至均等であるので、説明を省略する。
【実施例３】
【００９１】
図１１乃至図１４は、この発明の実施の形態の実施例３の建物の空間構造を説明するものである。このうち、図１１は、中間床部の手前側に設けられる壁面材が取り除かれた状態での一部透過斜視図であり、図１２は、上階部分の平面図である。
【００９２】
また、図１３は、中間床下空間の平面図であり、図１４は、図１３中Ｄ−Ｄ線に沿った位置での断面図である。
【００９３】
まず、この実施例３の建物の空間構造の構成を、実施例１，２の建物の空間構造との相違点を中心に説明すると、この実施例３の建物の空間構造では、ユニット建物３１の中間床下空間３７及び上方位置の空間１２が、連通開口部６ａの上方位置に設けられた上階連通開口部３ａを介して、更に上階位置の空間１５と連通されている。
【００９４】
更に、このユニット建物３１の上部には、上階位置の空間１５への採光及び換気を行う天窓部１７が設けられている。
【００９５】
次に、この実施例３の建物の空間構造の作用について説明する。
【００９６】
この実施例３の建物の空間構造では、前記実施例１の建物の空間構造１０の作用効果に加えて、更に、前記中間床下空間が、連通開口部６ａの上方位置に設けられた上階連通開口部３ａを介して、更に上階位置の空間１６と連通されている。
【００９７】
このため、更に、高さ方向の閉塞感が無くなり開放感を得られる。
【００９８】
更に、この実施例３では、ユニット建物３１の上部に、上階位置の空間１５への採光及び換気を行う天窓部１７が設けられている。
【００９９】
このため、中間床下空間３７の収納物による空気質の悪化に対しても、常に自然な換気を行えて、中間床下空間３７を清潔に保つことができると共に、天窓部１７による開口部が、ユニット建物３１の上部に設けられることにより、プライバシーの確保やセキュリティ面での対策を容易に行える。
【０１００】
また、中間床部６には、略閉塞された空間が容易に形成出来るので、書斎やゆとりのスペースを得られ、更にスペース効率が良好である。
【０１０１】
他の構成、及び作用効果については、前記実施例１，２と同一乃至均等であるので、説明を省略する。
【実施例４】
【０１０２】
図１５乃至図１８は、この発明の実施の形態の実施例４の建物の空間構造を説明するものである。
【０１０３】
このうち、図１５は、中間床部の手前側に設けられる壁面材が取り除かれた状態での一
部透過斜視図であり、図１６は、中間床部の平面図である。また、図１７は、中間床下空間の平面図であり、図１８は、図１７中Ｅ−Ｅ線に沿った位置での断面図である。
【０１０４】
まず、この実施例４の建物の空間構造の構成を、実施例１乃至３の建物の空間構造との相違点を中心に説明すると、この実施例４の建物の空間構造では、ユニット建物４１の中間床下空間４７の上方に位置して、連通開口部６ａの上部の空間１２と、前記中間床部６の上方とに跨って、上階位置の空間１６と連通する上階連通開口部１０３ａが設けられている。
【０１０５】
次に、この実施例４の建物の空間構造の作用について説明する。
【０１０６】
この実施例４の建物の空間構造では、前記実施の形態及び実施例１乃至３の建物の空間構造の作用効果に加えて、更に、前記上階連通開口部１０３ａによって、前記中間床下空間４７の上方に位置して、連通開口部６ａを介して連通される空間１２と、前記中間床部６の上方の空間とが共に、水平方向への広がりを有する上階位置の空間１６と連通されている。
【０１０７】
このため、前記中間床部６の上方の空間を利用する際に、高さ方向及び水平方向へ良好な開放感を与えることができる。
【０１０８】
他の構成、及び作用効果については、前記実施の形態及び実施例１乃至３と同一乃至均等であるので、説明を省略する。
【０１０９】
以上、図面を参照して、本発明の実施の形態を詳述してきたが、具体的な構成は、この実施の形態に限らず、本発明の要旨を逸脱しない程度の設計的変更は、本発明に含まれる。
【０１１０】
即ち、前記実施例１の建物の空間構造では、中間床下空間７の床面７ａの高さ位置は、図４に示すように、前記折り返し階段４の段数は、１４段で、下階床部２から７段目の前記踊り場５までの下階段部４ａ及びこの踊り場５から上階床部３までの上階段部４ｂとなるように設定されて、床面７ａから中間床部６までの高さｈ１が、約１．８ｍ、中間床部６から上階床部３までの高さｈ２が、約１．２ｍとなるようにしているが、特に中間床部６の踊り場５を何段目に設けても、この踊り場５と連設される中間床部６が設けられているものであるならば、どのような数量、形状の及び材質の折り返し階段４であってもよい。  例えば、建築基準法上の階数として認定されない法規上の高さとは、１．４ｍ以下であるが、前記中間床下空間７の高さｈ１と、中間床部６から上階床部３までの空間の高さｈ２とは、何れも空間としての使い勝手から各々約１ｍ以上とすることが望ましい。
【図面の簡単な説明】
【０１１１】
【図１】この発明の最良の実施の形態の建物の空間構造で、全体の構成を説明し、中間床部の手前側に設けられる壁面材が取り除かれた状態での一部透過斜視図である。
【図２】実施の形態の建物の空間構造で、中間床部の平面図である。
【図３】実施の形態の建物の空間構造で、中間床下空間の平面図である。
【図４】実施の形態の建物の空間構造で、図３中Ａ−Ａ線に沿った位置での断面図である。
【図５】実施の形態の実施例１の建物の空間構造で、中間床下空間の平面図である。
【図６】実施の形態の実施例１の建物の空間構造で、図５中Ｂ−Ｂ線に沿った位置での断面図である。
【図７】実施の形態の実施例２の建物の空間構造で、全体の構成を説明し、中間床部の手前側に設けられる壁面材が取り除かれた状態での一部透過斜視図である。
【図８】実施例２の建物の空間構造で、中間床部の平面図である。
【図９】実施例２の建物の空間構造で、中間床下空間の平面図である。
【図１０】実施例２の建物の空間構造で、図９中Ｃ−Ｃ線に沿った位置での断面図である。
【図１１】実施の形態の実施例３の建物の空間構造で、全体の構成を説明し、中間床部の手前側に設けられる壁面材が取り除かれた状態での一部透過斜視図である。
【図１２】実施例３の建物の空間構造で、上階部分の平面図である。
【図１３】実施例３の建物の空間構造で、中間床下空間の平面図である。
【図１４】実施例３の建物の空間構造で、図１３中Ｄ−Ｄ線に沿った位置での断面図である。
【図１５】実施の形態の実施例４の建物の空間構造で、全体の構成を説明し、中間床部の手前側に設けられる壁面材が取り除かれた状態での一部透過斜視図である。
【図１６】実施例４の建物の空間構造で、中間床部の平面図である。
【図１７】実施例４の建物の空間構造で、中間床下空間の平面図である。
【図１８】実施例４の建物の空間構造で、図１７中Ｅ−Ｅ線に沿った位置での断面図である。
【符号の説明】
【０１１２】
１，１１，２１，３１，４１        ユニット建物（住宅）
１１ａ                            外壁部
３ａ，１０３ａ                    上階連通開口部                              
４                                折り返し階段
５                                踊り場
６                                中間床部
６ａ                              連通開口部
７，１７，２７                    中間床下空間
８                                収納凹部
１０                              床下空間
１２                              （連通開口部の）上方位置の空間
１３                              出入口開口部
１５，１６                        上階位置の空間
【図１】
2006283356.tif 000003
【図２】
2006283356.tif 000004
【図３】
2006283356.tif 000005
【図４】
2006283356.tif 000006
【図５】
2006283356.tif 000007
【図６】
2006283356.tif 000008
【図７】
2006283356.tif 000009
【図８】
2006283356.tif 000010
【図９】
2006283356.tif 000011
【図１０】
2006283356.tif 000012
【図１１】
2006283356.tif 000013
【図１２】
2006283356.tif 000014
【図１３】
2006283356.tif 000015
【図１４】
2006283356.tif 000016
【図１５】
2006283356.tif 000017
【図１６】
2006283356.tif 000018
【図１７】
2006283356.tif 000019
【図１８】
2006283356.tif 000020